(57)【要約】本願の実施は、情報表示方法及びデバイスを開示する。前記情報表示方法は次のステップを含む：スキャン用ページ上のスキャンボックスが第１のグラフィックコードをスキャンした後に取得される第１の情報を受信するステップ；前記スキャン用ページと情報表示ページとを同時表示し、前記第１の情報を前記情報表示ページに表示するステップ；前記スキャンボックスが第２のグラフィックコードをスキャンした後に取得される第２の情報を受信するステップ；前記第２の情報を前記情報表示ページに追加するステップ。本願の実施では、スキャニング効率を向上させることができる。
2019511046.tif 000002
【特許請求の範囲】
【請求項１】
情報表示方法であって：
スキャン用ページ上のスキャンボックスが第１のグラフィックコードをスキャンした後に取得される第１の情報を受信するステップと；
前記スキャン用ページと情報表示ページとを同時表示し、前記第１の情報を前記情報表示ページに表示するステップと；
前記スキャンボックスが第２のグラフィックコードをスキャンした後に取得される第２の情報を受信するステップと；
前記第２の情報を前記情報表示ページに追加するステップと；を備える、
情報表示方法。
【請求項２】
前記第２の情報を前記情報表示ページに追加する前記ステップの後に：
前記第１の情報又は前記第２の情報を消去する指令が受信されると、前記情報表示ページ上の前記第１の情報又は前記第２の情報を消去するステップを更に備える、
請求項１に記載の方法。
【請求項３】
前記第１の情報又は前記第２の情報を消去する指令が受信されると、前記情報表示ページ上の前記第１の情報又は前記第２の情報を消去する前記ステップは：
前記第１の情報又は前記第２の情報がトリガされたことが検出されると消去ボタンを表示するステップと；
前記消去ボタンがトリガされると生成される消去指令を受信した後に、前記情報表示ページ上の前記第１の情報又は前記第２の情報を消去するステップと；を備える、
請求項２に記載の方法。
【請求項４】
前記同時表示が、垂直形式、水平形式、ポップアップウィンドウ形式、及び透明背景形式のうちの少なくとも一つの形式で実行される、
請求項１乃至請求項３のいずれか１項に記載の方法。
【請求項５】
前記グラフィックコードが、２次元コードとバーコードのうちの少なくとも一方を備える、
請求項１乃至請求項３のいずれか１項に記載の方法。
【請求項６】
情報表示方法であって：
スキャン用ページ上のスキャンボックスが第１のグラフィックコードをスキャンした後に取得される第１の情報を受信するステップと；
前記スキャンボックスが第２のグラフィックコードをスキャンした後に取得される第２の情報を受信するステップと；
所定の条件が満たされると情報表示ページへジャンプするステップであって、前記第１の情報及び前記第２の情報を表示する、前記ジャンプするステップと；を備える、
情報表示方法。
【請求項７】
前記所定の条件には、所定期間が経過すること、又は、所定の指令が受信されることが含まれる、
請求項６に記載の方法。
【請求項８】
所定の指令が受信されると情報表示ページへジャンプするステップであって、前記第１の情報及び前記第２の情報を表示する、前記ジャンプするステップは：
前記スキャン用ページ上でトリガされる所定のボタンによって生成される所定の指令を受信することに応答して情報表示ページへジャンプするステップであって、前記第１の情報及び前記第２の情報を表示する、前記ジャンプするステップ；又は
前記スキャン用ページ上でスライドされるスライディングモジュールによって生成される所定の指令を受信することに応答して情報表示ページへジャンプするステップであって、前記第１の情報及び前記第２の情報を表示する、前記ジャンプするステップ；を備える、
請求項７に記載の方法。
【請求項９】
所定の条件が満たされると情報表示ページへジャンプするステップであって、前記第１の情報及び前記第２の情報を表示する、前記ジャンプするステップの後に：
前記第１の情報又は前記第２の情報を消去する指令が受信されると前記情報表示ページ上の前記第１の情報又は前記第２の情報を消去するステップを更に備える、
請求項６に記載の方法。
【請求項１０】
前記第１の情報又は前記第２の情報を消去する指令が受信されると前記情報表示ページ上の前記第１の情報又は前記第２の情報を消去する前記ステップは：
前記第１の情報又は前記第２の情報がトリガされたことが検出されると消去ボタンを表示するステップと；
前記消去ボタンがトリガされると生成される消去指令を受信した後に、前記情報表示ページ上の前記第１の情報又は前記第２の情報を消去するステップと；を備える、
請求項９に記載の方法。
【請求項１１】
前記グラフィックコードが、２次元コードとバーコードとのうちの少なくとも一方を含む、
請求項６乃至請求項１０のいずれか１項に記載の方法。
【請求項１２】
情報表示方法であって：
スキャン用ページ上のスキャンボックスが第１のグラフィックコードをスキャンした後に取得される第１の製品情報を受信するステップと；
前記スキャン用ページと情報表示ページとを同時表示し、前記第１の製品情報を前記情報表示ページに表示するステップと；
前記スキャンボックスが第２のグラフィックコードをスキャンした後に取得される第２の製品情報を受信するステップであって、前記製品情報が製品の単価と数を含む、前記受信するステップと；
前記第２の製品情報を前記情報表示ページに追加するステップと；
支払い指令が受信されると製品の単価と数とに基づいて総額を計算し、前記総額に基づいて決済するステップと；を備える、
情報表示方法。
【請求項１３】
情報表示方法であって：
スキャン用ページ上のスキャンボックスが第１のグラフィックコードをスキャンした後に取得される第１の製品情報を受信するステップと；
前記スキャンボックスが第２のグラフィックコードをスキャンした後に取得される第２の製品情報を受信するステップであって、前記製品情報が製品の単価と数とを含む、前記受信するステップと；
所定の条件が満たされると情報表示ページへジャンプするステップであって、前記第１の製品情報及び前記第２の製品情報を表示する、前記ジャンプするステップと；
支払い指令が受信されると製品の単価と数とに基づいて総額を計算し、前記総額に基づいて決済するステップと；を備える、
情報表示方法。
【請求項１４】
情報表示方法であって：
スキャン用ページ上のスキャンボックスが第１のグラフィックコードをスキャンした後に取得される第１のｖｅｒｓｉｔｃａｒｄ情報を受信するステップと；
前記スキャン用ページと情報表示ページとを同時表示し、前記第１のｖｅｒｓｉｔｃａｒｄ情報を前記情報表示ページに表示するステップと；
前記スキャンボックスが第２のグラフィックコードをスキャンした後に取得される第２のｖｅｒｓｉｔｃａｒｄ情報を受信するステップと；
前記第２のｖｅｒｓｉｔｃａｒｄ情報を前記情報表示ページに追加するステップと；
追加指令が受信されると前記第１のｖｅｒｓｉｔｃａｒｄ情報及び前記第２のｖｅｒｓｉｔｃａｒｄ情報に対応するユーザを友人として追加するステップと；を備える、
情報表示方法。
【請求項１５】
情報表示方法であって：
スキャン用ページ上のスキャンボックスが第１のグラフィックコードをスキャンした後に取得される第１のｖｅｒｓｉｔｃａｒｄ情報を受信するステップと；
前記スキャンボックスが第２のグラフィックコードをスキャンした後に取得される第２のｖｅｒｓｉｔｃａｒｄ情報を受信するステップと；
所定の条件が満たされると情報表示ページへジャンプするステップであって、前記第１のｖｅｒｓｉｔｃａｒｄ情報及び前記第２のｖｅｒｓｉｔｃａｒｄ情報を表示する、前記ジャンプするステップと；
追加指令が受信されると前記第１のｖｅｒｓｉｔｃａｒｄ情報及び前記第２のｖｅｒｓｉｔｃａｒｄ情報に対応するユーザを友人として追加するステップと；を備える、
情報表示方法。
【請求項１６】
情報表示デバイスであって：
スキャン用ページ上のスキャンボックスが第１のグラフィックコードをスキャンした後に取得される第１の情報を受信するように構成された第１の受信ユニットと；
前記スキャン用ページと情報表示ページとを同時表示し、前記第１の情報を前記情報表示ページに表示するように構成された表示ユニットと；
前記スキャンボックスが第２のグラフィックコードをスキャンした後に取得される第２の情報を受信するように構成された第２の受信ユニットと；
前記第２の情報を前記情報表示ページに追加するように構成された追加ユニットと；を備える、
情報表示デバイス。
【請求項１７】
前記追加ユニットに加えて：
前記第１の情報又は前記第２の情報を消去する指令が受信されると前記情報表示ページ上の前記第１の情報又は前記第２の情報を消去するように構成された消去ユニットを備える、
請求項１６に記載のデバイス。
【請求項１８】
前記消去ユニットは：
前記第１の情報又は前記第２の情報がトリガされたことが検出されると消去ボタンを表示するように構成された表示サブユニットと；
前記消去ボタンがトリガされると生成される消去指令を受信した後に、前記情報表示ページに表示されている前記第１の情報又は前記第２の情報を消去するように構成された消去サブユニットと；を備える、
請求項１７に記載のデバイス。
【請求項１９】
前記同時表示が、垂直形式、水平形式、ポップアップウィンドウ形式、及び透明背景形式のうちの少なくとも一つの形式で実行される、
請求項１６乃至請求項１８のいずれか１項に記載のデバイス。
【請求項２０】
前記グラフィックコードが、２次元コードとバーコードのうちの少なくとも一方を含む、
請求項１６乃至請求項１８のいずれか１項に記載のデバイス。
【請求項２１】
情報表示デバイスであって：
スキャン用ページ上のスキャンボックスが第１のグラフィックコードをスキャンした後に取得される第１の情報を受信するように構成された第１の受信ユニットと；
前記スキャンボックスが第２のグラフィックコードをスキャンした後に取得される第２の情報を受信するように構成された第２の受信ユニットと；
所定の条件が満たされると情報表示ページへジャンプして前記第１の情報及び前記第２の情報を表示するように構成された表示ユニットと；を備える、
情報表示デバイス。
【請求項２２】
前記所定の条件には、所定期間が経過すること、又は、所定の指令が受信されることが含まれる、
請求項２１に記載のデバイス。
【請求項２３】
前記表示ユニットは：
前記スキャン用ページ上でトリガされる所定のボタンによって生成される所定の指令を受信することに応答して情報表示ページへジャンプして前記第１の情報及び前記第２の情報を表示するように構成された；又は
前記スキャン用ページ上でスライドされるスライディングモジュールによって生成される所定の指令を受信することに応答して情報表示ページへジャンプして前記第１の情報及び前記第２の情報を表示するように構成された；表示サブユニットを備える、
請求項２２に記載のデバイス。
【請求項２４】
前記表示ユニットに加えて：
前記第１の情報又は前記第２の情報を消去する指令が受信されると前記情報表示ページ上の前記第１の情報又は前記第２の情報を消去するように構成された消去ユニットを備える、
請求項２１に記載のデバイス。
【請求項２５】
前記消去ユニットは：
前記第１の情報又は前記第２の情報がトリガされたことが検出されると消去ボタンを表示するように構成された表示サブユニットと；
前記消去ボタンがトリガされると生成される消去指令を受信した後に、前記情報表示ページ上の前記第１の情報又は前記第２の情報を消去するように構成された消去サブユニットと；を備える、
請求項２４に記載のデバイス。
【請求項２６】
前記グラフィックコードが、２次元コードとバーコードのうちの少なくとも一方を含む、
請求項２１乃至請求項２５のいずれか１項に記載のデバイス。
【請求項２７】
情報表示デバイスであって：
スキャン用ページ上のスキャンボックスが第１のグラフィックコードをスキャンした後に取得される第１の製品情報を受信するように構成された第１の受信ユニットと；
前記スキャン用ページと情報表示ページとを同時表示し、前記第１の製品情報を前記情報表示ページに表示するように構成された第１の表示ユニットと；
前記スキャンボックスが第２のグラフィックコードをスキャンした後に取得される第２の製品情報を受信するように構成された第２の受信ユニットであって、前記製品情報が製品の単価と数とを含む、前記第２の受信ユニットと；
前記第２の製品情報を前記情報表示ページに追加するように構成された第２の表示ユニットと；
支払い指令が受信されると製品の単価と数とに基づいて総額を計算し、前記総額に基づいて決済するように構成された支払いユニットと；を備える、
情報表示デバイス。
【請求項２８】
情報表示デバイスであって：
スキャン用ページ上のスキャンボックスが第１のグラフィックコードをスキャンした後に取得される第１の製品情報を受信するように構成された第１の受信ユニットと；
前記スキャンボックスが第２のグラフィックコードをスキャンした後に取得される第２の製品情報を受信するように構成された第２の受信ユニットであって、前記製品情報が製品の単価と数とを含む、前記第２の受信ユニットと；
所定の条件が満たされると情報表示ページへジャンプして前記第１の製品情報及び前記第２の製品情報を表示するように構成された表示ユニットと；
支払い指令が受信されると製品の単価と数とに基づいて総額を計算し、前記総額に基づいて決済するように構成された支払いユニットと；備える、
情報表示デバイス。
【請求項２９】
情報表示デバイスであって：
スキャン用ページ上のスキャンボックスが第１のグラフィックコードをスキャンした後に取得される第１のｖｅｒｓｉｔｃａｒｄ情報を受信するように構成された第１の受信ユニットと；
前記スキャン用ページと情報表示ページとを同時表示し、前記第１のｖｅｒｓｉｔｃａｒｄ情報を前記情報表示ページに表示するように構成された第１の表示ユニットと；
前記スキャンボックスが第２のグラフィックコードをスキャンした後に取得される第２のｖｅｒｓｉｔｃａｒｄ情報を受信するように構成された第２の受信ユニットと；
前記第２のｖｅｒｓｉｔｃａｒｄ情報を前記情報表示ページに追加するように構成された第２の表示ユニットと；
追加指令が受信されると前記第１のｖｅｒｓｉｔｃａｒｄ情報及び前記第２のｖｅｒｓｉｔｃａｒｄ情報に対応するユーザを友人として追加するように構成された追加ユニットと；を備える、
情報表示デバイス。
【請求項３０】
情報表示デバイスであって：
スキャン用ページ上のスキャンボックスが第１のグラフィックコードをスキャンした後に取得される第１のｖｅｒｓｉｔｃａｒｄ情報を受信するように構成された第１の受信ユニットと；
前記スキャンボックスが第２のグラフィックコードをスキャンした後に取得される第２のｖｅｒｓｉｔｃａｒｄ情報を受信するように構成された第２の受信ユニットと；
所定の条件が満たされると情報表示ページへジャンプして前記第１のｖｅｒｓｉｔｃａｒｄ情報及び前記第２のｖｅｒｓｉｔｃａｒｄ情報を表示するように構成された表示ユニットと；
追加指令が受信されると前記第１のｖｅｒｓｉｔｃａｒｄ情報及び前記第２のｖｅｒｓｉｔｃａｒｄ情報に対応するユーザを友人として追加するように構成された追加ユニットと；を備える、
情報表示デバイス。
【発明の詳細な説明】
【技術分野】
【０００１】
本願は、２０１６年２月２９日に出願され「情報表示方法及びデバイス」と題された中国特許出願第２０１６１０１１３２０４．５号の優先権を主張し、上記中国特許出願は、参照によってその全体が本明細書に組み込まれる。
【０００２】
本願は、インターネット技術の分野に関し、特に、情報表示方法及びデバイスに関する。
【背景技術】
【０００３】
益々多くの情報スキャニング機能がオンライン製品、とりわけ、オンラインショッピングに適用されるようになっている。例えば、ユーザは、携帯電話にインストールされたスキャンツール（例えば、「スキャンＱＲコード（登録商標）」）を使用して製品の２次元コードをスキャンすることにより、製品情報（製品名及び単価）を取得してオンラインでの決済及びショッピングを完了できる。
【０００４】
既存の技術において、スキャン用ページ（グラフィックコードをスキャンするために用いられる）と情報表示ページ（グラフィックコードをスキャンした後に取得される情報を表示するために用いられる）は通常、分けられている。スキャンに成功した後、スキャン用ページは情報表示ページへジャンプする。しかし、ユーザが複数のグラフィックコードをスキャンする必要がある場合、グラフィックコードをスキャンした直後に情報表示ページへジャンプすると、第２のグラフィックコードをスキャンする必要があるときは、スキャンするためにスキャン用ページへ戻る必要がある。その結果、複数のグラフィックコードをスキャンする必要がある場合、グラフィックコード毎にこの工程を繰り返す必要がある。
【０００５】
結論として、既存の技術においては、スキャンすべきグラフィックコードが複数ある場合、スキャニング効率が比較的低くなってしまう。
【発明の概要】
【０００６】
本願の実施は、スキャンすべきグラフィックコードが複数ある場合、スキャニング効率が比較的低くなってしまう既存の技術における課題を解決するための情報表示方法及びデバイスを提供する。
【０００７】
上記の技術的課題を解決するため、本願の実施で提供される情報表示方法及びデバイスは、以下のように実施される。
【０００８】
情報表示方法が提供され、前記方法は以下を含む：スキャン用ページ上のスキャンボックスが第１のグラフィックコードをスキャンした後に取得される第１の情報を受信するステップ；前記スキャン用ページと情報表示ページとを同時表示し、前記第１の情報を前記情報表示ページに表示するステップ；前記スキャンボックスが第２のグラフィックコードをスキャンした後に取得される第２の情報を受信するステップ；前記第２の情報を前記情報表示ページに追加するステップ。
【０００９】
情報表示方法が提供され、前記方法は以下を含む：スキャン用ページ上のスキャンボックスが第１のグラフィックコードをスキャンした後に取得される第１の情報を受信するステップ；前記スキャンボックスが第２のグラフィックコードをスキャンした後に取得される第２の情報を受信するステップ；所定の条件が満たされると情報表示ページへジャンプするステップであって、前記第１の情報及び前記第２の情報を表示する、前記ジャンプするステップ。
【００１０】
情報表示方法が提供され、前記方法は以下を含む：スキャン用ページ上のスキャンボックスが第１のグラフィックコードをスキャンした後に取得される第１の製品情報を受信するステップ；前記スキャン用ページと情報表示ページとを同時表示し、前記第１の製品情報を前記情報表示ページに表示するステップ；前記スキャンボックスが第２のグラフィックコードをスキャンした後に取得される第２の製品情報を受信するステップであって、前記製品情報が製品の単価と数を含む、前記受信するステップ；前記第２の製品情報を前記情報表示ページに追加するステップ；支払い指令が受信されると製品の単価と数とに基づいて総額を計算し、前記総額に基づいて決済するステップ。
【００１１】
情報表示方法が提供され、前記方法は以下を含む：スキャン用ページ上のスキャンボックスが第１のグラフィックコードをスキャンした後に取得される第１の製品情報を受信するステップ；前記スキャンボックスが第２のグラフィックコードをスキャンした後に取得される第２の製品情報を受信するステップであって、前記製品情報が製品の単価と数とを含む、前記受信するステップ；所定の条件が満たされると情報表示ページへジャンプするステップであって、前記第１の製品情報及び前記第２の製品情報を表示する、前記ジャンプするステップ；支払い指令が受信されると製品の単価と数とに基づいて総額を計算し、前記総額に基づいて決済するステップ。
【００１２】
情報表示方法が提供され、前記方法は以下を含む：スキャン用ページ上のスキャンボックスが第１のグラフィックコードをスキャンした後に取得される第１のｖｅｒｓｉｔｃａｒｄ情報を受信するステップ；前記スキャン用ページと情報表示ページとを同時表示し、前記第１のｖｅｒｓｉｔｃａｒｄ情報を前記情報表示ページに表示するステップ；前記スキャンボックスが第２のグラフィックコードをスキャンした後に取得される第２のｖｅｒｓｉｔｃａｒｄ情報を受信するステップ；前記第２のｖｅｒｓｉｔｃａｒｄ情報を前記情報表示ページに追加するステップ；追加指令が受信されると前記第１のｖｅｒｓｉｔｃａｒｄ情報及び前記第２のｖｅｒｓｉｔｃａｒｄ情報に対応するユーザを友人として追加するステップ。
【００１３】
情報表示方法が提供され、前記方法は以下を含む：スキャン用ページ上のスキャンボックスが第１のグラフィックコードをスキャンした後に取得される第１のｖｅｒｓｉｔｃａｒｄ情報を受信するステップ；前記スキャンボックスが第２のグラフィックコードをスキャンした後に取得される第２のｖｅｒｓｉｔｃａｒｄ情報を受信するステップ；所定の条件が満たされると情報表示ページへジャンプするステップであって、前記第１のｖｅｒｓｉｔｃａｒｄ情報及び前記第２のｖｅｒｓｉｔｃａｒｄ情報を表示する、前記ジャンプするステップ；追加指令が受信されると前記第１のｖｅｒｓｉｔｃａｒｄ情報及び前記第２のｖｅｒｓｉｔｃａｒｄ情報に対応するユーザを友人として追加するステップ。
【００１４】
情報表示デバイスが提供され、前記デバイスは以下を含む：スキャン用ページ上のスキャンボックスが第１のグラフィックコードをスキャンした後に取得される第１の情報を受信するように構成された第１の受信ユニット；前記スキャン用ページと情報表示ページとを同時表示し、前記第１の情報を前記情報表示ページに表示するように構成された表示ユニット；前記スキャンボックスが第２のグラフィックコードをスキャンした後に取得される第２の情報を受信するように構成された第２の受信ユニット；前記第２の情報を前記情報表示ページに追加するように構成された追加ユニット。
【００１５】
情報表示デバイスが提供され、前記デバイスは以下を含む：スキャン用ページ上のスキャンボックスが第１のグラフィックコードをスキャンした後に取得される第１の情報を受信するように構成された第１の受信ユニット；前記スキャンボックスが第２のグラフィックコードをスキャンした後に取得される第２の情報を受信するように構成された第２の受信ユニット；所定の条件が満たされると情報表示ページへジャンプして前記第１の情報及び前記第２の情報を表示するように構成された表示ユニット。
【００１６】
情報表示デバイスが提供され、前記デバイスは以下を含む：スキャン用ページ上のスキャンボックスが第１のグラフィックコードをスキャンした後に取得される第１の製品情報を受信するように構成された第１の受信ユニット；前記スキャン用ページと情報表示ページとを同時表示し、前記第１の製品情報を前記情報表示ページに表示するように構成された第１の表示ユニット；前記スキャンボックスが第２のグラフィックコードをスキャンした後に取得される第２の製品情報を受信するように構成された第２の受信ユニットであって、前記製品情報が製品の単価と数とを含む、前記第２の受信ユニット；前記第２の製品情報を前記情報表示ページに追加するように構成された第２の表示ユニット；支払い指令が受信されると製品の単価と数とに基づいて総額を計算し、前記総額に基づいて決済するように構成された支払いユニット。
【００１７】
情報表示デバイスが提供され、前記デバイスは以下を含む：スキャン用ページ上のスキャンボックスが第１のグラフィックコードをスキャンした後に取得される第１の製品情報を受信するように構成された第１の受信ユニット；前記スキャンボックスが第２のグラフィックコードをスキャンした後に取得される第２の製品情報を受信するように構成された第２の受信ユニットであって、前記製品情報が製品の単価と数とを含む、前記第２の受信ユニット；所定の条件が満たされると情報表示ページへジャンプして前記第１の製品情報及び前記第２の製品情報を表示するように構成された表示ユニット；支払い指令が受信されると製品の単価と数とに基づいて総額を計算し、前記総額に基づいて決済するように構成された支払いユニット。
【００１８】
情報表示デバイスが提供され、前記デバイスは以下を含む：スキャン用ページ上のスキャンボックスが第１のグラフィックコードをスキャンした後に取得される第１のｖｅｒｓｉｔｃａｒｄ情報を受信するように構成された第１の受信ユニット；前記スキャン用ページと情報表示ページとを同時表示し、前記第１のｖｅｒｓｉｔｃａｒｄ情報を前記情報表示ページに表示するように構成された第１の表示ユニット；前記スキャンボックスが第２のグラフィックコードをスキャンした後に取得される第２のｖｅｒｓｉｔｃａｒｄ情報を受信するように構成された第２の受信ユニット；前記第２のｖｅｒｓｉｔｃａｒｄ情報を前記情報表示ページに追加するように構成された第２の表示ユニット；追加指令が受信されると前記第１のｖｅｒｓｉｔｃａｒｄ情報及び前記第２のｖｅｒｓｉｔｃａｒｄ情報に対応するユーザを友人として追加するように構成された追加ユニット。
【００１９】
情報表示デバイスが提供され、前記デバイスは以下を含む：スキャン用ページ上のスキャンボックスが第１のグラフィックコードをスキャンした後に取得される第１のｖｅｒｓｉｔｃａｒｄ情報を受信するように構成された第１の受信ユニット；前記スキャンボックスが第２のグラフィックコードをスキャンした後に取得される第２のｖｅｒｓｉｔｃａｒｄ情報を受信するように構成された第２の受信ユニット；所定の条件が満たされると情報表示ページへジャンプして前記第１のｖｅｒｓｉｔｃａｒｄ情報及び前記第２のｖｅｒｓｉｔｃａｒｄ情報を表示するように構成された表示ユニット；追加指令が受信されると前記第１のｖｅｒｓｉｔｃａｒｄ情報及び前記第２のｖｅｒｓｉｔｃａｒｄ情報に対応するユーザを友人として追加するように構成された追加ユニット。
【００２０】
本願の実施において提供される技術的解決策からは、端末は、スキャン用ページ上の複数のグラフィックコードをスキャンし、所定の条件が満たされた後に、情報表示ページへジャンプし、複数の情報を一度に表示できることが分かる。そのため、複数のグラフィックコードをスキャンする際の効率が向上する。或いは、スキャン用ページ上のグラフィックコードをスキャンした後、端末は、スキャン用ページと情報表示ページとを同時表示して端末がスキャン用ページ上の複数のグラフィックコードをスキャンできるようにし、各スキャンによって取得される情報を情報表示ページへリアルタイムに追加して、複数のグラフィックコードをスキャンする際の効率を向上させることができる。
【図面の簡単な説明】
【００２１】
本願の実施又は既存の技術における技術的解決策をより明確に説明するために、実施又は既存技術を説明するために必要な添付図面を簡単に説明する。明らかに、以下の説明における添付の図面は、本願のいくつかの実施例を示すに過ぎず、当業者は創造的な努力なしにこれらの添付図面から他の図面を見出すことができる。
【００２２】
【図１】本願の実施による、情報表示方法を示すフローチャートである。
【００２３】
【図２】本願の実施による、スキャン用ページを示す概略図である。
【００２４】
【図３】本願の実施による、情報表示ページを示す概略図である。
【００２５】
【図４】本願の実施による、情報表示方法を示すフローチャートである。
【００２６】
【図５】本願の実施による、スキャンボックスと製品情報の同時表示を示す概略図である。
【００２７】
【図６】本願の実施による、ショッピングスキャンシナリオにおける情報表示ページを示す概略図である。
【００２８】
【図７】本願の実施による、情報表示デバイスのモジュールを示す概略図である。
【発明を実施するための形態】
【００２９】
当業者が本願の技術的解決法をよりよく理解することを可能にするために、本願の実施における添付の図面を参照して、以下に、本願の実施における技術的解決法を明確かつ完全に記載する。明らかに、記載された実施は、本発明の実施の一部ではあるが、全てではない。創作努力なしに本願の実施に基づいて当業者によって得られる他の全ての実施態様は、本願の保護範囲内に入るものとする。
【００３０】
図１は、本願の実施による、情報表示方法を示すフローチャートである。この実施において、情報表示方法は下記の各ステップを含む。
【００３１】
Ｓ１１０：スキャン用ページ上のスキャンボックスが第１のグラフィックコードをスキャンした後に取得される第１の情報を受信する。
【００３２】
実際の適用において、グラフィックコードをスキャンするためのスキャンツールは、端末にインストールされたアプリケーションプログラム（Ａｐｐ）とすることができる。スキャンツールは、端末のカメラを起動して、又は、グラフィックコードを含む画像をスキャンして、グラフィックコードに対応する情報を取得できる。端末としては、デスクトップコンピュータ、ラップトップコンピュータ、タブレットコンピュータ、スマートフォン、ハンドヘルドコンピュータ、携帯情報端末（ＰＤＡ）、及び、有線又は無線プロセッサにより駆動される任意の他のデバイスを挙げることができる。
【００３３】
グラフィックコードは、２次元コードとバーコードとのうちの少なくとも一方を含むことができる。一般に、グラフィックコードは一意的であり、各グラフィックコードは、１つの特定の情報に対応する。
【００３４】
情報は２次元コードに記録されており、２次元コードに記録されている情報は、２次元コードをスキャンすることによって取得できる。一般に、２次元コードは、ある種の規則に従い平面上で（２次元方向に）交互に現れる黒色と白色の幾何学的な図形を含むパターンとすることができる。
【００３５】
情報はバーコードに記録されており、バーコードに記録されている情報は、バーコードをスキャンすることによって取得できる。一般に、バーコードは、一群の情報を表すために特定の符号化規則に従って配置された、幅が異なる複数の黒線と空きとを含むグラフィカル識別子である。一般的なバーコードは、反射率に大きな差がある黒線（線と呼ばれる）と白線（空きと呼ばれる）によって形成される平行線のパターンである。
【００３６】
以下、説明のために一例を用いる。図２に示すように、ユーザが携帯電話のスキャンツールを有効にすると、スキャンボックス１１が携帯電話画面１０に表示される。スキャンする必要がある２次元コード１２をスキャンボックス内に配置してスキャンする。スキャンが完了した後、２次元コード１２に記録されている情報を取得できる。
【００３７】
Ｓ１２０：スキャンボックスが第２のグラフィックコードをスキャンした後に取得される第２の情報を受信する。
【００３８】
このステップはステップＳ１１０に類似しており、「第１の」及び「第２の」は単に区別するためのものに過ぎず、第２のグラフィックコードと第１のグラフィックコードは異なっていても同一であってもよい。
【００３９】
Ｓ１３０：所定の条件が満たされると情報表示ページへジャンプして第１の情報及び第２の情報を表示する。
【００４０】
この実施において、所定の条件として、所定期間が経過すること、又は、所定の指令が受信されること、が含まれる。
【００４１】
具体的に、Ｓ１３０は、所定期間が経過すると情報表示ページへジャンプして第１の情報及び第２の情報を表示するステップを含む。
【００４２】
所定期間は、所定の経験値とすることができる。所定期間は、スキャンツールが有効にされたときに開始できる。
【００４３】
例えば、２０秒（所定期間）が経過すると、情報表示ページへジャンプして第１の情報及び第２の情報を表示し、２０秒が経過しないうちは、スキャンボックスページが依然表示され、スキャンボックスがグラフィックコードをスキャンした後に取得される情報を受信し続ける。
【００４４】
具体的に、Ｓ１３０は、所定の指令が受信されると情報表示ページへジャンプして第１の情報及び第２の情報を表示するステップを含む。
【００４５】
所定の指令は、端末を制御して情報表示ページへジャンプさせるために用いられる。
【００４６】
所定の指令が受信されると情報表示ページへジャンプするステップであって、第１の情報及び第２の情報を表示する、前記ジャンプするステップは、スキャン用ページ上でトリガされる所定のボタンによって生成される所定の指令を受信するステップに応答して、情報表示ページへジャンプするステップであって、第１の情報及び第２の情報を表示する、前記ジャンプするステップを含む。
【００４７】
図２に示すように、所定の指令は、ユーザが画面上のＯＫボタン（所定のボタン）をクリックすると生成される。端末が所定の指令を受信すると、図３に示すように、端末は、情報表示ページ２０へとジャンプして第１の情報２１及び第２の情報２２を表示し、ユーザが第１の情報２１及び第２の情報２２を見て比較できるようにする。
【００４８】
本願の特定の実施において、所定の指令が受信されると情報表示ページへジャンプするステップであって、第１の情報及び第２の情報を表示する、前記ジャンプするステップは、スキャン用ページ上でスライドされるスライディングモジュールによって生成される所定の指令を受信することに応答して、情報表示ページへジャンプするステップであって、第１の情報及び第２の情報を表示する、前記ジャンプするステップを含む。
【００４９】
この実施によると、端末は、スキャン用ページ上の複数のグラフィックコードをスキャンし、所定の条件が満たされた後に情報表示ページへジャンプし、複数の情報を同時表示することができる。そのため、複数のグラフィックコードをスキャンする際の効率が向上する。
【００５０】
本願の特定の実施において、ステップＳ１３０の後、方法は、第１の情報又は第２の情報を消去する指令が受信されると情報表示ページ上の第１の情報又は第２の情報を消去するステップを更に含むことができる。
【００５１】
具体的には、第１の情報又は第２の情報を消去する指令が受信されると情報表示ページ上の第１の情報又は第２の情報を消去するステップは、表示すべき情報がクリックされたことが検出されると消去ボタンを表示するステップと；消去ボタンがトリガされると生成される消去指令を受信した後に、製品情報を消去するステップと；を含む。
【００５２】
この実施において、ユーザは、画面上の第１の情報又は第２の情報をクリックすることにより情報を消去するための消去ボタンを表示できる。そのため、ユーザは、ボタンをクリックして第１の情報又は第２の情報を消去できる。上記の実施における、図３に示す例において、ユーザが第１の情報２１を消去したい場合、ユーザが第１の情報２１をクリックすると、消去ボタンが画面上の第１の情報２１の下に表示される。ユーザが消去ボタンをクリックすると、第１の情報２１は消去される。当然ながら、ユーザが第１の情報２１を消去したくない場合、ユーザが第１の情報２１を再クリックすると、消去ボタンは隠れる。
【００５３】
図４は、本願の実施による、情報表示方法を示すフローチャートである。この実施において、情報表示方法は下記の各ステップを含む。
【００５４】
Ｓ２１０：スキャン用ページ上のスキャンボックスが第１のグラフィックコードをスキャンした後に取得される第１の情報を受信する。
【００５５】
この実施におけるステップＳ２１０はステップＳ１１０に類似しており、ここでは詳細を再度述べない。
【００５６】
Ｓ２２０：スキャン用ページと情報表示ページとを同時表示し、第１の情報を情報表示ページに表示する。
【００５７】
この実施において、同時表示は、垂直形式、水平形式、ポップアップウィンドウ形式、及び透明背景形式のうちの少なくとも一つの形式で実行できる。
【００５８】
垂直表示形式は、スキャン用ページが画面の上部に表示され、情報表示ページが画面の下部に表示されるものであっても、スキャン用ページが画面の下部に表示され、情報表示ページが画面の上部に表示されるものであってもよい。
【００５９】
水平表示形式は、スキャン用ページが画面の左側部分に表示され、情報表示ページが画面の右側部分に表示されるものであってもよく、スキャン用ページが画面の右側部分に表示され、情報表示ページが画面の左側部分に表示されるものであってもよい。
【００６０】
ポップアップウィンドウ表示形式は、スキャン用ページが変化せず、情報表示ページがポップアップウィンドウ形式で画面の所定領域に表示されるものであってもよい。
【００６１】
透明背景表示形式は、画面上のスキャン用ページの背景を情報表示ページに変えるものであってもよい。
【００６２】
この実施において、先の同時表示形式は一例に過ぎず、スキャンボックスと表示対象情報とは、実際の適用においては別の形式で表示してもよく、実施においてそれは限定されない。
【００６３】
例えば、下記において、上部のスキャン用ページと下部の情報表示ページとが同時表示される。図５に示すように、第１のグラフィックコードをスキャンすることにより第１の情報を取得した後、スキャン用ページ３１が画面の上部に表示され、情報表示ページ３２が画面の下部に表示される。スキャンボックス３１０は、依然としてスキャン用ページ３１に配置されて常にグラフィックコードをスキャンすることができ、第１の情報３２０が情報表示ページ３２に表示される。
【００６４】
Ｓ２３０：スキャンボックスが第２のグラフィックコードをスキャンした後に取得される第２の情報を受信する。
【００６５】
このステップはステップＳ２１０に類似しており、「第１の」と「第２の」は単に区別するためのものに過ぎず、第２のグラフィックコードと第１のグラフィックコードは異なっていても同一であってもよい。
【００６６】
Ｓ２４０：第２の情報を情報表示ページに追加する。
【００６７】
図５に示すように、ステップＳ２３０の後、ユーザが比較できるように第２の情報３３０が情報表示ページ３２に追加される。
【００６８】
この実施において、スキャン用ページ上のグラフィックコードをスキャンした後、端末は、スキャン用ページと情報表示ページとを同時表示して端末がスキャン用ページ上の複数のグラフィックコードをスキャンできるようにする。各スキャンによって取得された情報を情報表示ページへリアルタイムで追加して、複数のグラフィックコードをスキャンする際の効率を向上させることができる。
【００６９】
本願の特定の実施において、ステップＳ２４０の後、方法は、第１の情報又は第２の情報を消去する指令が受信されると情報表示ページ上の第１の情報又は第２の情報を消去するステップを更に含むことができる。
【００７０】
具体的には、第１の情報又は第２の情報を消去する指令が受信されると情報表示ページ上の第１の情報又は第２の情報を消去するステップは、表示すべき情報がクリックされたことが検出されると消去ボタンを表示するステップと；消去ボタンがトリガされると生成される消去指令を受信した後に、製品情報を消去するステップと；を含む。
【００７１】
この実施において、ユーザは、画面上の第１の情報又は第２の情報をクリックすることにより情報を消去するための消去ボタンを表示させることができる。それで、ユーザは、ボタンをクリックして第１の情報又は第２の情報を消去できる。
【００７２】
ショッピングスキャンシナリオを一例として以下に用いて、図１に示す先の例に対応する情報表示方法について説明する。この情報表示方法は、スキャン用ページ上のスキャンボックスが第１のグラフィックコードをスキャンした後に取得される第１の製品情報を受信するステップと；スキャン用ページと情報表示ページとを同時表示し、第１の製品情報を情報表示ページに表示するステップと；スキャンボックスが第２のグラフィックコードをスキャンした後に取得される第２の製品情報を受信するステップであって、製品情報が製品の単価と数とを含む、前記受信するステップと；第２の製品情報を情報表示ページへ追加するステップと；支払い指令が受信されると製品の単価と数に基づいて総額を計算し、総額に基づいて決済するステップと；を含む。
【００７３】
図６で、情報表示ページ４０に表示されるように、第１の製品情報４１は、製品名４１１、単価４１２、及び製品の数４１３を含み、第２の製品情報４２は、製品名４２１、単価４２２、及び製品の数４２３を含む。支払ボタン４３も情報表示ページ４０に表示される。ユーザが支払ボタン４３をクリックすると、ステップＳ３５０が実行され、総額が８．５×１＋１８．０×２＝４４．５元となる。端末は、総額、即ち４４．５元に基づいて決済する。
【００７４】
この実施において、ユーザは、複数のグラフィックコードをスキャンした後に複数の製品情報を一度に表示して、複数のグラフィックコードをスキャンする際の効率を向上させることができる。加えて、端末が支払い指令を受信すると、複数の製品が一度に購入される。
【００７５】
ショッピングスキャンシナリオを一例として以下用いて、図４に示す先の例に対応する情報表示方法について説明する。情報表示方法は、スキャン用ページ上のスキャンボックスが第１のグラフィックコードをスキャンした後に取得される第１の製品情報を受信するステップと；スキャンボックスが第２のグラフィックコードをスキャンした後に取得される第２の製品情報を受信するステップであって、製品情報が製品の単価と数を含む、前記受信するステップと；所定の条件が満たされると情報表示ページへジャンプするステップであって、第１の製品情報及び第２の製品情報を表示する、前記ジャンプするステップと；支払い指令が受信されると製品の単価と数とに基づいて総額を計算し、総額に基づいて決済するステップと；を含む。
【００７６】
図５に示すように、スキャン用ページ３１が画面の上部に表示され、情報表示ページ３２が画面の下部に表示される。情報表示ページ３２に表示されるように、第１の製品情報３２０は、製品名３２１、単価３２２、及び製品の数３２３を含み、第２の製品情報３３０は、製品名３３１、単価３３２、及び製品の数３３３を含む。支払ボタン３３も情報表示ページ３２に表示される。ユーザが支払ボタン３３をクリックすると、総額は８．５×１＋１８．０×２＝４４．５元となる。端末は、総額、即ち４４．５元に基づいて決済する。
【００７７】
この実施において、グラフィックコードがスキャンされた後、ユーザは、スキャン用ページと情報表示ページとを同時表示して、端末がスキャン用ページ上の複数のグラフィックコードをスキャンできるようにすることができる。各スキャンによって取得される製品情報を情報表示ページへリアルタイムに追加して、複数のグラフィックコードをスキャンする際の効率を向上させることができる。加えて、端末が支払い指令を受信すると、複数の製品が一度に購入される。
【００７８】
本願の実施による情報表示方法を示すフローチャートにおいて、情報表示方法は、スキャン用ページ上のスキャンボックスが第１のグラフィックコードをスキャンした後に取得される第１のｖｅｒｓｉｔｃａｒｄ（ｖＣａｒｄ）情報を受信するステップと；スキャン用ページと情報表示ページとを同時表示し、第１のｖｅｒｓｉｔｃａｒｄ情報を情報表示ページに表示するステップと；スキャンボックスが第２のグラフィックコードをスキャンした後に取得される第２のｖｅｒｓｉｔｃａｒｄ情報を受信するステップと；第２のｖｅｒｓｉｔｃａｒｄ情報を情報表示ページへ追加するステップと；追加指令が受信されると、第１のｖｅｒｓｉｔｃａｒｄ情報及び第２のｖｅｒｓｉｔｃａｒｄ情報に対応するユーザを友人として追加するステップと；を含む。
【００７９】
この実施において、ユーザは、複数のグラフィックコードをスキャンした後に複数のｖｅｒｓｉｔｃａｒｄ情報を一度に表示して、複数のグラフィックコードをスキャンする際の効率を向上させることができる。加えて、追加指令を受信した時点で、端末は、複数の友人を一度に追加する。
【００８０】
本願の実施による情報表示方法を示すフローチャートにおいて、情報表示方法は、スキャン用ページ上のスキャンボックスが第１のグラフィックコードをスキャンした後に取得される第１のｖｅｒｓｉｔｃａｒｄ情報を受信するステップと；スキャンボックスが第２のグラフィックコードをスキャンした後に取得される第２のｖｅｒｓｉｔｃａｒｄ情報を受信するステップと；所定の条件が満たされると情報表示ページへジャンプするステップであって、第１のｖｅｒｓｉｔｃａｒｄ情報及び第２のｖｅｒｓｉｔｃａｒｄ情報を表示する、前記ジャンプするステップと；追加指令が受信されると第１のｖｅｒｓｉｔｃａｒｄ情報及び第２のｖｅｒｓｉｔｃａｒｄ情報に対応するユーザを友人として追加するステップと；を含む。
【００８１】
この実施において、グラフィックコードがスキャンされた後、ユーザは、スキャン用ページと情報表示ページとを同時表示して、端末がスキャン用ページ上の複数のグラフィックコードをスキャンできるようにすることができる。各スキャンによって取得されるｖｅｒｓｉｔｃａｒｄ情報を情報表示ページへリアルタイムに追加して、複数のグラフィックコードをスキャンする際の効率を向上させることができる。加えて、追加指令が受信された時点で複数の友人が一度に追加される。
【００８２】
本願の実施は、先の方法のステップを実施できるデバイスを更に提供する。デバイスは、ソフトウェア、ハードウェア、又はソフトウェアとハードウェアの組合せを用いることにより実施できる。ソフトウェアの実施を例にとる。論理デバイスとしてのデバイスは、対応するコンピュータプログラム指令をサーバの中央処理装置（ＣＰＵ）を通じてメモリに読み込むことにより形成される。
【００８３】
図７は、本願の実施による、情報表示デバイスのモジュールを示す概略図である。この実施において、情報表示デバイスは：スキャン用ページ上のスキャンボックスが第１のグラフィックコードをスキャンした後に取得される第１の情報を受信するように構成された第１の受信ユニット５１０と；スキャン用ページと情報表示ページとを同時表示し、第１の情報を情報表示ページに表示するように構成された表示ユニット５２０と；スキャンボックスが第２のグラフィックコードをスキャンした後に取得される第２の情報を受信するように構成された第２の受信ユニット５３０と；第２の情報を情報表示ページへ追加するように構成された追加ユニット５４０と；を含む。
【００８４】
この実施において、スキャン用ページ上のグラフィックコードをスキャンした後、端末は、スキャン用ページと情報表示ページとを同時表示して端末がスキャン用ページ上の複数のグラフィックコードをスキャンできるようにする。各スキャンによって取得される情報を情報表示ページへリアルタイムに追加して、複数のグラフィックコードをスキャンする際の効率を向上させることができる。
【００８５】
好ましくは、追加ユニットに加えて、デバイスは、第１の情報又は第２の情報を消去する指令が受信されると情報表示ページ上の第１の情報又は第２の情報を消去するように構成された消去ユニットを更に含む。
【００８６】
好ましくは、消去ユニットは：第１の情報又は第２の情報がトリガされたことが検出されると、消去ボタンを表示するように構成された表示サブユニットと；消去ボタンがトリガされると生成される消去指令を受信した後に、情報表示ページに表示されている第１の情報又は第２の情報を消去するように構成された消去サブユニットと；を含む。
【００８７】
好ましくは、同時表示は、垂直形式、水平形式、ポップアップウィンドウ形式、及び透明背景形式のうちの少なくとも一つの形式で実行される。
【００８８】
好ましくは、グラフィックコードは、２次元コードとバーコードとのうちの少なくとも一方を含む。
【００８９】
本願の実施による情報表示デバイスのモジュールを示す概略図において、情報表示デバイスは：スキャン用ページ上のスキャンボックスが第１のグラフィックコードをスキャンした後に取得される第１の情報を受信するように構成された第１の受信ユニットと；スキャンボックスが第２のグラフィックコードをスキャンした後に取得される第２の情報を受信するように構成された第２の受信ユニットと；所定の条件が満たされると情報表示ページへジャンプして第１の情報及び第２の情報を表示するように構成された表示ユニットと；を含む。
【００９０】
この実施によると、端末は、スキャン用ページ上の複数のグラフィックコードをスキャンし、所定の条件が満たされた後に情報表示ページへジャンプし、複数の情報を同時表示することができる。そのため、複数のグラフィックコードをスキャンする際の効率が向上する。
【００９１】
好ましくは、所定の条件には、所定期間が経過すること、又は、所定の指令が受信されること、が含まれる。
【００９２】
好ましくは、表示ユニットは：スキャン用ページ上でトリガされる所定のボタンによって生成される所定の指令を受信することに応答して情報表示ページへジャンプして第１の情報及び第２の情報を表示するように構成された；又は、スキャン用ページ上でスライドされるスライディングモジュールによって生成される所定の指令を受信することに応答して情報表示ページへジャンプして第１の情報及び第２の情報を表示するように構成された；表示サブユニットを含む。
【００９３】
好ましくは、表示ユニットに加えて、デバイスは、第１の情報又は第２の情報を消去する指令が受信されると情報表示ページ上の第１の情報又は第２の情報を消去するように構成された消去ユニットを更に含む。
【００９４】
好ましくは、消去ユニットは：第１の情報又は第２の情報がトリガされたことが検出されると消去ボタンを表示するように構成された表示サブユニットと；消去ボタンがトリガされると生成される消去指令を受信した後に、情報表示ページ上の第１の情報又は第２の情報を消去するように構成された消去サブユニットと；を含む。
【００９５】
好ましくは、グラフィックコードは、２次元コードとバーコードとのうちの少なくとも一方を含む。
【００９６】
本願の実施による情報表示デバイスのモジュールを示す概略図において、情報表示デバイスは：スキャン用ページ上のスキャンボックスが第１のグラフィックコードをスキャンした後に取得される第１の製品情報を受信するように構成された第１の受信ユニットと；スキャン用ページと情報表示ページとを同時表示し、第１の製品情報を情報表示ページに表示するように構成された第１の表示ユニットと；スキャンボックスが第２のグラフィックコードをスキャンした後に取得される第２の製品情報を受信するように構成された第２の受信ユニットであって、製品情報が製品の単価と数とを含む、前記第２の受信ユニットと；第２の製品情報を情報表示ページに追加するように構成された第２の表示ユニットと；支払い指令が受信されると製品の単価と数とに基づいて総額を計算し、総額に基づいて決済するように構成された支払いユニットと；を含む。
【００９７】
この実施において、ユーザは、複数のグラフィックコードをスキャンした後に複数の製品情報を一度に表示して、複数のグラフィックコードをスキャンする際の効率を向上させることができる。加えて、端末が支払い指令を受信すると、複数の製品が一度に購入される。
【００９８】
本願の実施による情報表示デバイスのモジュールを示す概略図において、情報表示デバイスは：スキャン用ページ上のスキャンボックスが第１のグラフィックコードをスキャンした後に取得される第１の製品情報を受信するように構成された第１の受信ユニットと；スキャンボックスが第２のグラフィックコードをスキャンした後に取得される第２の製品情報を受信するように構成された第２の受信ユニットであって、製品情報が製品の単価と数とを含む、前記第２の受信ユニットと；所定の条件が満たされると情報表示ページへジャンプして第１の製品情報及び第２の製品情報を表示するように構成された表示ユニットと；支払い指令が受信されると製品の単価と数とに基づいて総額を計算し、総額に基づいて決済するように構成された支払いユニットと；を含む。
【００９９】
この実施において、グラフィックコードがスキャンされた後、ユーザは、スキャン用ページと情報表示ページとを同時表示して、端末がスキャン用ページ上の複数のグラフィックコードをスキャンできるようにすることができる。各スキャンによって取得される製品情報を情報表示ページへリアルタイムに追加して、複数のグラフィックコードをスキャンする際の効率を向上させることができる。加えて、端末が支払い指令を受信すると、複数の製品が一度に購入される。
【０１００】
本願の実施による情報表示デバイスのモジュールを示す概略図において、情報表示デバイスは：スキャン用ページ上のスキャンボックスが第１のグラフィックコードをスキャンした後に取得される第１のｖｅｒｓｉｔｃａｒｄ情報を受信するように構成された第１の受信ユニットと；スキャン用ページと情報表示ページとを同時表示し、第１のｖｅｒｓｉｔｃａｒｄ情報を情報表示ページに表示するように構成された第１の表示ユニットと；スキャンボックスが第２のグラフィックコードをスキャンした後に取得される第２のｖｅｒｓｉｔｃａｒｄ情報を受信するように構成された第２の受信ユニットと；第２のｖｅｒｓｉｔｃａｒｄ情報を情報表示ページに追加するように構成された第２の表示ユニットと；追加指令が受信されると、第１のｖｅｒｓｉｔｃａｒｄ情報及び第２のｖｅｒｓｉｔｃａｒｄ情報に対応するユーザを友人として追加するように構成された追加ユニットと；を含む。
【０１０１】
この実施において、ユーザは、複数のグラフィックコードをスキャンした後に複数のｖｅｒｓｉｔｃａｒｄ情報を一度に表示して、複数のグラフィックコードをスキャンする際の効率を向上させることができる。加えて、追加指令を受信した時点で、端末は複数の友人を一度に追加する。
【０１０２】
本願の実施による情報表示デバイスのモジュールを示す概略図において、情報表示デバイスは：スキャン用ページ上のスキャンボックスが第１のグラフィックコードをスキャンした後に取得される第１のｖｅｒｓｉｔｃａｒｄ情報を受信するように構成された第１の受信ユニットと；スキャンボックスが第２のグラフィックコードをスキャンした後に取得される第２のｖｅｒｓｉｔｃａｒｄ情報を受信するように構成された第２の受信ユニットと；所定の条件が満たされると情報表示ページへジャンプして第１のｖｅｒｓｉｔｃａｒｄ情報及び第２のｖｅｒｓｉｔｃａｒｄ情報を表示するように構成された表示ユニットと；追加指令が受信されると第１のｖｅｒｓｉｔｃａｒｄ情報及び第２のｖｅｒｓｉｔｃａｒｄ情報に対応するユーザを友人として追加するように構成された追加ユニットと；を含む。
【０１０３】
この実施において、グラフィックコードがスキャンされた後、ユーザは、スキャン用ページと情報表示ページとを同時表示して、端末がスキャン用ページ上の複数のグラフィックコードをスキャンできるようにすることができる。各スキャンによって取得されるｖｅｒｓｉｔｃａｒｄ情報を情報表示ページへリアルタイムに追加して、複数のグラフィックコードをスキャンする際の効率を向上させることができる。加えて、追加指令が受信された時点で複数の友人が一度に追加される。
【０１０４】
１９９０年代、技術の向上がハードウェアの向上（例えば、回路構造、例えばダイオード、トランジスタ、又はスイッチの向上）であるかソフトウェアの向上（方法手順の向上）であるかは、明確に区別することができた。しかし、技術が発達すると、現在の多くの方法手順の向上は、ハードウェア回路構造の直接的向上であると考えることができる。設計者は通常、向上した方法手順をハードウェア回路にプログラムして対応するハードウェア回路構造を得る。したがって、方法手順は、ハードウェアエンティティモジュールを用いることにより向上させることができる。例えば、プログラマブル論理デバイス（ＰＬＤ）（例えば、フィールド・プログラマブル・ゲート・アレイ（ＦＰＧＡ））はその種の集積回路であり、ＰＬＤの論理機能は、デバイスプログラミングを通じてユーザにより特定される。設計者は、チップ製造業者に特定用途向け集積回路チップを設計し製造するように要求することなく、プログラミングを遂行してデジタルシステムをＰＬＤに「一体化」する。加えて、プログラミングは、ほとんどの場合、手作業で集積回路チップを製造するのではなく、「論理コンパイラ」ソフトウェアを用いることにより実施される。これは、プログラムの開発及びコンパイルに使用されるソフトウェアコンパイラに類似している。しかし、コンパイル前の元のコードは、ハードウェア記述言語（ＨＤＬ）と呼ばれる特定のプログラミング言語で書かれることもある。多くのＨＤＬ、例えばＡｄｖａｎｃｅｄ  Ｂｏｏｌｅａｎ  Ｅｘｐｒｅｓｓｉｏｎ  Ｌａｎｇｕａｇｅ（ＡＢＥＬ）、Ａｌｔｅｒａ  Ｈａｒｄｗａｒｅ  Ｄｅｓｃｒｉｐｔｉｏｎ  Ｌａｎｇｕａｇｅ（ＡＨＤＬ）、Ｃｏｎｆｌｕｅｎｃｅ、Ｃｏｒｎｅｌｌ  Ｕｎｉｖｅｒｓｉｔｙ  Ｐｒｏｇｒａｍｍｉｎｇ  Ｌａｎｇｕａｇｅ（ＣＵＰＬ）、ＨＤＣａｌ、Ｊａｖａ（登録商標）  Ｈａｒｄｗａｒｅ  Ｄｅｓｃｒｉｐｔｉｏｎ  Ｌａｎｇｕａｇｅ（ＪＨＤＬ）、Ｌａｖａ、Ｌｏｌａ、ＭｙＨＤＬ、ＰＡＬＡＳＭ、及びＲｕｂｙ  Ｈａｒｄｗａｒｅ  Ｄｅｓｃｒｉｐｔｉｏｎ  Ｌａｎｇｕａｇｅ（ＲＨＤＬ）が存在する。現在、超高速集積回路ハードウェア記述言語（ＶＨＤＬ）及びＶｅｒｉｌｏｇが最も広く使用されている。一旦、記載されハードウェア記述言語の幾つかを用いることにより、本方法手順が論理的にプログラムされ、集積回路にプログラムされれば、論理的方法手順を実施するハードウェア回路は容易に入手できることを、当業者は理解すべきである。
【０１０５】
コントローラを任意適切な方式で実施できる。例えば、コントローラは、マイクロプロセッサ、プロセッサ、又はプロセッサ（若しくはマイクロプロセッサ）が実行できるコンピュータ読み取り可能プログラムコード（例えば、ソフトウェア若しくはファームウェア）を格納するコンピュータ読み取り可能媒体、論理ゲート、スイッチ、特定用途向け集積回路（ＡＳＩＣ）、プログラマブル論理コントローラ、若しくは埋込型マイクロコンピュータとすることができる。コントローラの例としては、下記のマイクロコントローラが挙げられるが、これに限定されない。即ち、ＡＲＣ  ６２５Ｄ、Ａｔｍｅｌ  ＡＴ９１ＳＡＭ、Ｍｉｃｒｏｃｈｉｐ  ＰＩＣ１８Ｆ２６Ｋ２０、又はＳｉｌｉｃｏｎ  Ｌａｂｓ  Ｃ８０５１Ｆ３２０。メモリコントローラをメモリの制御ロジックの一部として実装することもできる。当業者には同じく公知であるが、コントローラは、純粋なコンピュータ読み取り可能プログラムコードの形で実施でき、方法のステップは、コントローラが論理ゲート、スイッチ、特定用途向け集積回路、プログラマブル論理コントローラ、埋込型マイクロコンピュータなどの形態で同じ機能を実施できるようにするため、論理的にプログラムすることができる。したがって、コントローラは、ハードウェアコンポーネントとみなすことができ、コントローラにおける様々な機能を実施するように構成された装置も同様に、ハードウェアコンポーネント内の構造とみなすことができる。或いは、様々な機能を実施するように構成された装置は、方法又はハードウェアコンポーネント内の構造を実施するソフトウェアモジュールとみなすことができる。
【０１０６】
先の実施において説明されたシステム、装置、モジュール、又はユニットは、コンピュータチップ又はエンティティを用いることにより実施できる、又は、特定の機能を有する製品を用いることにより実施できる。
【０１０７】
説明される装置は、説明を容易にするために機能を様々なユニットに分割することによって説明される。確かに、本願が実施される場合、各ユニットの機能は、１つ又は複数のソフトウェア及び／又はハードウェアで実施され得る。
【０１０８】
当業者は、本開示の実施が、方法、システム、又はコンピュータプログラム製品として提供され得ることを理解すべきである。したがって、本開示は、ハードウェアのみの実施、ソフトウェアのみの実施、又はソフトウェアとハードウェアの組み合わせによる実施の形態を使用することができる。更に、本開示は、コンピュータ使用可能なプログラムコードを含む、１つ又は複数のコンピュータ使用可能な記憶媒体（磁気ディスクメモリ、コンパクトディスク読み取り専用メモリ（ＣＤ−ＲＯＭ）、及び光学メモリを含むがこれらに限定されない）に実装されたコンピュータプログラム製品の形態を使用することができる。
【０１０９】
本開示は、本開示の実施に基づく方法、デバイス（システム）、及びコンピュータプログラム製品のフローチャート及び／又はブロック図を参照して説明される。
フローチャート及び／又はブロック図における各手順及び／又は各ブロック、ならびにフローチャート及び／又はブロック図における手順及び／又はブロックの組み合わせを実施するためにコンピュータプログラム命令を使用できることを理解されたい。
これらのコンピュータプログラム命令は、汎用コンピュータ、専用コンピュータ、組み込みプロセッサ、又は機械を生成するための別のプログラマブルデータ処理デバイスのプロセッサに提供することができ、その命令は、コンピュータ又は他のプログラム可能なデータ処理デバイスによって実行され、データ処理デバイスは、フローチャート及び／又はブロック図の１つ又は複数のブロックにおける１つ又は複数の手順で特定の機能を実施するための装置を生成する。
【０１１０】
これらのコンピュータプログラム命令は、コンピュータ可読メモリに格納することができ、コンピュータ又は他のプログラマブルデータ処理デバイスに特定の方法で動作させるように命令でき、コンピュータ可読メモリに格納された命令は命令装置を含むアーチファクトを生成する。命令装置は、フローチャートの１つ又は複数の手順、及び／又は、ブロック図の１つ又は複数のブロックにおける特定の機能を実施する。
【０１１１】
これらのコンピュータプログラム命令は、コンピュータ又は他のプログラマブルデータ処理装置にロードされ、一連の動作及びステップが、コンピュータ又はコンピュータ実装処理を生成する他のプログラマブルデバイス上で実行され得る。したがって、コンピュータ又は他のプログラマブルデバイス上で実行される命令は、フローチャートの１つ又は複数の手順及び／又はブロック図の１つ又は複数のブロックにおける特定の機能を実施するステップを提供する。
【０１１２】
典型的な構成では、コンピューティングデバイスは、１つ又は複数のプロセッサ（ＣＰＵ）、入力／出力インターフェイス、ネットワークインターフェイス、及びメモリを含む。
【０１１３】
メモリは、読み出し専用メモリ（ＲＯＭ）又はフラッシュメモリなどのコンピュータ可読媒体内の揮発性メモリ、ランダムアクセスメモリ（ＲＡＭ）、及び／又は不揮発性メモリなどを含むことができる。メモリは、コンピュータ可読媒体の一例である。
【０１１４】
コンピュータ可読媒体は、任意の方法又は技術を使用して情報を格納することができる永続性、非永続性、移動可能及び移動不可能な媒体を含む。情報は、コンピュータ可読命令、データ構造、プログラムモジュール、又は他のデータであり得る。コンピュータ記憶媒体の例は、相変化ＲＡＭ（ＰＲＡＭ）、スタティックＲＡＭ（ＳＲＡＭ）、ダイナミックＲＡＭ（ＤＲＡＭ）、他のタイプのＲＡＭ、ＲＯＭ、電気的に消去可能なプログラマブル読み取り専用メモリ（ＥＥＰＲＯＭ）、フラッシュメモリ又は他のメモリ技術、コンパクトディスク読み取り専用メモリ（ＣＤ−ＲＯＭ）、デジタル多用途ディスク（ＤＶＤ）又は他の光学記憶装置、磁気テープ、磁気ディスク記憶装置、他の磁気記憶デバイス、又は任意の他の非伝送媒体を含むことができる。コンピュータ記憶媒体は、コンピュータ装置によってアクセス可能な情報を記憶するために使用することができる。本明細書に記載されているように、コンピュータ可読媒体は、コンピュータ可読一時媒体、例えば、変調データ信号及び搬送波を含まない。
【０１１５】
用語「含む（include）」「備える（comprise）」又は任意の他の変形は、非排他的な包含をカバーするように意図されているので、一連の要素を含む、プロセス、方法、製品、又はデバイスは、これらの要素を含むだけでなく、明示的に列挙されていない他の要素を含むか、又はそのようなプロセス、方法、製品、又はデバイスに固有の要素を更に含むことに更に留意されたい。「を含む（includes a ...）」という要素が前に付いている要素は、それ以上の制約がなければ、その要素を含むプロセス、方法、製品、又はデバイス内に追加の同一要素が存在することを排除しない。
【０１１６】
当業者は、本願の実施が、方法、システム、又はコンピュータプログラム製品として提供され得ることを理解すべきである。したがって、本願は、ハードウェアのみの実施、ソフトウェアのみの実施、又はソフトウェアとハードウェアの組み合わせでの実施の形態を使用することができる。更に、本願は、コンピュータ使用可能なプログラムコードを含む、１つ又は複数のコンピュータ使用可能な記憶媒体（磁気ディスクメモリ、コンパクトディスク読み取り専用メモリ（ＣＤ−ＲＯＭ）、及び光学メモリを含むがこれらに限定されない）に実装されたコンピュータプログラム製品の形態を使用することができる。
【０１１７】
本願は、プログラムモジュールなどのコンピュータによって実行されるコンピュータ実行可能命令の共通の文脈で説明することができる。一般に、プログラムモジュールは、特定のタスクを実行するか、又は特定の抽象データ型を実施するルーチン、プログラム、オブジェクト、コンポーネント、データ構造などを含む。本願は、分散コンピューティング環境においても実行することができる。これらの分散コンピューティング環境では、通信ネットワークを使用して接続されたリモート処理デバイスによってタスクが実行される。分散コンピューティング環境では、プログラムモジュールは、記憶デバイスを含むローカル及びリモートのコンピュータ記憶媒体に配置することができる。
【０１１８】
この仕様の実施は、プログレッシブな方法で記述されている。実施における同一又は類似の部分については、実施を参照する。各実施は、他の実施との違いに焦点を当てている。特に、システムの実施は方法の実施に類似しており、したがって簡単に説明する。関連する部分については、方法の実施の関連する説明を参照する。
【０１１９】
前述の説明は、本願の単なる実施であり、本願を限定する意図はない。当業者であれば、本願に様々な修正や変更を加えることができる。本願の精神及び原理の範囲内でなされた変更、均等物の置換、改良などは、本願の特許請求の範囲の保護範囲内に入るものとする。
【図１】
2019511046.tif 000003
【図２】
2019511046.tif 000004
【図３】
2019511046.tif 000005
【図４】
2019511046.tif 000006
【図５】
2019511046.tif 000007
【図６】
2019511046.tif 000008
【図７】
2019511046.tif 000009
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
情報表示方法であって：
スキャン用ページ上のスキャンボックスが第１のグラフィックコードをスキャンした後に取得される第１の情報を受信するステップ（Ｓ１１０）と；
前記スキャンボックスが第２のグラフィックコードをスキャンした後に取得される第２の情報を受信するステップ（Ｓ１２０）と；
所定の条件が満たされると情報表示ページへジャンプするステップであって、前記第１の情報及び前記第２の情報を表示する、前記ジャンプするステップ（Ｓ１３０）と；を備える、
情報表示方法。
【請求項２】
前記所定の条件には、所定期間が経過すること、又は、所定の指令が受信されることが含まれる、
請求項１に記載の方法。
【請求項３】
所定の指令が受信されると情報表示ページへジャンプするステップであって、前記第１の情報及び前記第２の情報を表示する、前記ジャンプするステップは：
前記スキャン用ページ上でトリガされる所定のボタンによって生成される所定の指令を受信することに応答して情報表示ページへジャンプするステップであって、前記第１の情報及び前記第２の情報を表示する、前記ジャンプするステップ；又は
前記スキャン用ページ上でスライドされるスライディングモジュールによって生成される所定の指令を受信することに応答して情報表示ページへジャンプするステップであって、前記第１の情報及び前記第２の情報を表示する、前記ジャンプするステップ；を備える、
請求項２に記載の方法。
【請求項４】
所定の条件が満たされると情報表示ページへジャンプするステップであって、前記第１の情報及び前記第２の情報を表示する、前記ジャンプするステップの後に：
前記第１の情報又は前記第２の情報を消去する指令が受信されると前記情報表示ページ上の前記第１の情報又は前記第２の情報を消去するステップを更に備える、
請求項１に記載の方法。
【請求項５】
前記第１の情報又は前記第２の情報を消去する指令が受信されると前記情報表示ページ上の前記第１の情報又は前記第２の情報を消去する前記ステップは：
前記第１の情報又は前記第２の情報がトリガされたことが検出されると消去ボタンを表示するステップと；
前記消去ボタンがトリガされると生成される消去指令を受信した後に、前記情報表示ページ上の前記第１の情報又は前記第２の情報を消去するステップと；を備える、
請求項４に記載の方法。
【請求項６】
前記グラフィックコードが、２次元コードとバーコードとのうちの少なくとも一方を含む、
請求項１乃至請求項５のいずれか１項に記載の方法。
【請求項７】
前記第１の情報は第１の製品情報を含み、及び、前記第２の情報は第２の製品情報を含み、前記製品情報は製品の単価と数を含み、
前記方法は、支払い指令が受信されると製品の単価と数とに基づいて総額を計算し、前記総額に基づいて決済するステップと；を更に備える、
請求項１に記載の方法。
【請求項８】
情報表示方法であって：
スキャン用ページ上のスキャンボックスが第１のグラフィックコードをスキャンした後に取得される第１の情報を受信するステップ（Ｓ２１０）と；
前記スキャン用ページと情報表示ページとを同時表示し、前記第１の情報を前記情報表示ページに表示するステップ（Ｓ２２０）と；
前記スキャンボックスが第２のグラフィックコードをスキャンした後に取得される第２の情報を受信するステップ（Ｓ２３０）と；
前記第２の情報を前記情報表示ページに追加するステップ（Ｓ２４０）と；を備える、
情報表示方法。
【請求項９】
前記第２の情報を前記情報表示ページに追加する前記ステップの後に：
前記第１の情報又は前記第２の情報を消去する指令が受信されると、前記情報表示ページ上の前記第１の情報又は前記第２の情報を消去するステップを更に備える、
請求項８に記載の方法。
【請求項１０】
前記第１の情報又は前記第２の情報を消去する指令が受信されると、前記情報表示ページ上の前記第１の情報又は前記第２の情報を消去する前記ステップは：
前記第１の情報又は前記第２の情報がトリガされたことが検出されると消去ボタンを表示するステップと；
前記消去ボタンがトリガされると生成される消去指令を受信した後に、前記情報表示ページ上の前記第１の情報又は前記第２の情報を消去するステップと；を備える、
請求項９に記載の方法。
【請求項１１】
前記同時表示が、垂直形式、水平形式、ポップアップウィンドウ形式、及び透明背景形式のうちの少なくとも一つの形式で実行される、
請求項８乃至請求項１０のいずれか１項に記載の方法。
【請求項１２】
前記グラフィックコードが、２次元コードとバーコードのうちの少なくとも一方を備える、
請求項８乃至請求項１０のいずれか１項に記載の方法。
【請求項１３】
前記第１の情報は第１の製品情報を含み、及び、前記第２の情報は第２の製品情報を含み、前記製品情報は製品の単価と数を含み、
前記方法は、支払い指令が受信されると製品の単価と数とに基づいて総額を計算し、前記総額に基づいて決済するステップと；を更に備える、
請求項８に記載の方法。
【請求項１４】
請求項１乃至請求項７のいずれか１項に記載の方法を実行するように構成された複数のユニットを備える、
情報表示デバイス。
【請求項１５】
請求項８乃至請求項１３のいずれか１項に記載の方法を実行するように構成された複数のユニットを備える、
情報表示デバイス。
【手続補正２】
【補正対象書類名】明細書
【補正対象項目名】０１１９
【補正方法】変更
【補正の内容】
【０１１９】
前述の説明は、本願の単なる実施であり、本願を限定する意図はない。当業者であれば、本願に様々な修正や変更を加えることができる。本願の精神及び原理の範囲内でなされた変更、均等物の置換、改良などは、本願の特許請求の範囲の保護範囲内に入るものとする。
［第１の局面］
情報表示方法であって：
スキャン用ページ上のスキャンボックスが第１のグラフィックコードをスキャンした後に取得される第１の情報を受信するステップと；
前記スキャン用ページと情報表示ページとを同時表示し、前記第１の情報を前記情報表示ページに表示するステップと；
前記スキャンボックスが第２のグラフィックコードをスキャンした後に取得される第２の情報を受信するステップと；
前記第２の情報を前記情報表示ページに追加するステップと；を備える、
情報表示方法。
［第２の局面］
前記第２の情報を前記情報表示ページに追加する前記ステップの後に：
前記第１の情報又は前記第２の情報を消去する指令が受信されると、前記情報表示ページ上の前記第１の情報又は前記第２の情報を消去するステップを更に備える、
第１の局面に記載の方法。
［第３の局面］
前記第１の情報又は前記第２の情報を消去する指令が受信されると、前記情報表示ページ上の前記第１の情報又は前記第２の情報を消去する前記ステップは：
前記第１の情報又は前記第２の情報がトリガされたことが検出されると消去ボタンを表示するステップと；
前記消去ボタンがトリガされると生成される消去指令を受信した後に、前記情報表示ページ上の前記第１の情報又は前記第２の情報を消去するステップと；を備える、
第２の局面に記載の方法。
［第４の局面］
前記同時表示が、垂直形式、水平形式、ポップアップウィンドウ形式、及び透明背景形式のうちの少なくとも一つの形式で実行される、
第１の局面乃至第３の局面のいずれか１項に記載の方法。
［第５の局面］
前記グラフィックコードが、２次元コードとバーコードのうちの少なくとも一方を備える、
第１の局面乃至第３の局面のいずれか１項に記載の方法。
［第６の局面］
情報表示方法であって：
スキャン用ページ上のスキャンボックスが第１のグラフィックコードをスキャンした後に取得される第１の情報を受信するステップと；
前記スキャンボックスが第２のグラフィックコードをスキャンした後に取得される第２の情報を受信するステップと；
所定の条件が満たされると情報表示ページへジャンプするステップであって、前記第１の情報及び前記第２の情報を表示する、前記ジャンプするステップと；を備える、
情報表示方法。
［第７の局面］
前記所定の条件には、所定期間が経過すること、又は、所定の指令が受信されることが含まれる、
第６の局面に記載の方法。
［第８の局面］
所定の指令が受信されると情報表示ページへジャンプするステップであって、前記第１の情報及び前記第２の情報を表示する、前記ジャンプするステップは：
前記スキャン用ページ上でトリガされる所定のボタンによって生成される所定の指令を受信することに応答して情報表示ページへジャンプするステップであって、前記第１の情報及び前記第２の情報を表示する、前記ジャンプするステップ；又は
前記スキャン用ページ上でスライドされるスライディングモジュールによって生成される所定の指令を受信することに応答して情報表示ページへジャンプするステップであって、前記第１の情報及び前記第２の情報を表示する、前記ジャンプするステップ；を備える、
第７の局面に記載の方法。
［第９の局面］
所定の条件が満たされると情報表示ページへジャンプするステップであって、前記第１の情報及び前記第２の情報を表示する、前記ジャンプするステップの後に：
前記第１の情報又は前記第２の情報を消去する指令が受信されると前記情報表示ページ上の前記第１の情報又は前記第２の情報を消去するステップを更に備える、
第６の局面に記載の方法。
［第１０の局面］
前記第１の情報又は前記第２の情報を消去する指令が受信されると前記情報表示ページ上の前記第１の情報又は前記第２の情報を消去する前記ステップは：
前記第１の情報又は前記第２の情報がトリガされたことが検出されると消去ボタンを表示するステップと；
前記消去ボタンがトリガされると生成される消去指令を受信した後に、前記情報表示ページ上の前記第１の情報又は前記第２の情報を消去するステップと；を備える、
第９の局面に記載の方法。
［第１１の局面］
前記グラフィックコードが、２次元コードとバーコードとのうちの少なくとも一方を含む、
第６の局面乃至第１０の局面のいずれか１項に記載の方法。
［第１２の局面］
情報表示方法であって：
スキャン用ページ上のスキャンボックスが第１のグラフィックコードをスキャンした後に取得される第１の製品情報を受信するステップと；
前記スキャン用ページと情報表示ページとを同時表示し、前記第１の製品情報を前記情報表示ページに表示するステップと；
前記スキャンボックスが第２のグラフィックコードをスキャンした後に取得される第２の製品情報を受信するステップであって、前記製品情報が製品の単価と数を含む、前記受信するステップと；
前記第２の製品情報を前記情報表示ページに追加するステップと；
支払い指令が受信されると製品の単価と数とに基づいて総額を計算し、前記総額に基づいて決済するステップと；を備える、
情報表示方法。
［第１３の局面］
情報表示方法であって：
スキャン用ページ上のスキャンボックスが第１のグラフィックコードをスキャンした後に取得される第１の製品情報を受信するステップと；
前記スキャンボックスが第２のグラフィックコードをスキャンした後に取得される第２の製品情報を受信するステップであって、前記製品情報が製品の単価と数とを含む、前記受信するステップと；
所定の条件が満たされると情報表示ページへジャンプするステップであて、前記第１の製品情報及び前記第２の製品情報を表示する、前記ジャンプするステップと；
支払い指令が受信されると製品の単価と数とに基づいて総額を計算し、前記総額に基づいて決済するステップと；を備える、
情報表示方法。
［第１４の局面］
情報表示方法であって：
スキャン用ページ上のスキャンボックスが第１のグラフィックコードをスキャンした後に取得される第１のｖｅｒｓｉｔｃａｒｄ情報を受信するステップと；
前記スキャン用ページと情報表示ページとを同時表示し、前記第１のｖｅｒｓｉｔｃａｒｄ情報を前記情報表示ページに表示するステップと；
前記スキャンボックスが第２のグラフィックコードをスキャンした後に取得される第２のｖｅｒｓｉｔｃａｒｄ情報を受信するステップと；
前記第２のｖｅｒｓｉｔｃａｒｄ情報を前記情報表示ページに追加するステップと；
追加指令が受信されると前記第１のｖｅｒｓｉｔｃａｒｄ情報及び前記第２のｖｅｒｓｉｔｃａｒｄ情報に対応するユーザを友人として追加するステップと；を備える、
情報表示方法。
［第１５の局面］
情報表示方法であって：
スキャン用ページ上のスキャンボックスが第１のグラフィックコードをスキャンした後に取得される第１のｖｅｒｓｉｔｃａｒｄ情報を受信するステップと；
前記スキャンボックスが第２のグラフィックコードをスキャンした後に取得される第２のｖｅｒｓｉｔｃａｒｄ情報を受信するステップと；
所定の条件が満たされると情報表示ページへジャンプするステップであって、前記第１のｖｅｒｓｉｔｃａｒｄ情報及び前記第２のｖｅｒｓｉｔｃａｒｄ情報を表示する、前記ジャンプするステップと；
追加指令が受信されると前記第１のｖｅｒｓｉｔｃａｒｄ情報及び前記第２のｖｅｒｓｉｔｃａｒｄ情報に対応するユーザを友人として追加するステップと；を備える、
情報表示方法。
［第１６の局面］
情報表示デバイスであって：
スキャン用ページ上のスキャンボックスが第１のグラフィックコードをスキャンした後に取得される第１の情報を受信するように構成された第１の受信ユニットと；
前記スキャン用ページと情報表示ページとを同時表示し、前記第１の情報を前記情報表示ページに表示するように構成された表示ユニットと；
前記スキャンボックスが第２のグラフィックコードをスキャンした後に取得される第２の情報を受信するように構成された第２の受信ユニットと；
前記第２の情報を前記情報表示ページに追加するように構成された追加ユニットと；を備える、
情報表示デバイス。
［第１７の局面］
前記追加ユニットに加えて：
前記第１の情報又は前記第２の情報を消去する指令が受信されると前記情報表示ページ上の前記第１の情報又は前記第２の情報を消去するように構成された消去ユニットを備える、
第１６の局面に記載のデバイス。
［第１８の局面］
前記消去ユニットは：
前記第１の情報又は前記第２の情報がトリガされたことが検出されると消去ボタンを表示するように構成された表示サブユニットと；
前記消去ボタンがトリガされると生成される消去指令を受信した後に、前記情報表示ページに表示されている前記第１の情報又は前記第２の情報を消去するように構成された消去サブユニットと；を備える、
第１７の局面に記載のデバイス。
［第１９の局面］
前記同時表示が、垂直形式、水平形式、ポップアップウィンドウ形式、及び透明背景形式のうちの少なくとも一つの形式で実行される、
第１６の局面乃至第１８の局面のいずれか１項に記載のデバイス。
［第２０の局面］
前記グラフィックコードが、２次元コードとバーコードのうちの少なくとも一方を含む、
第１６の局面乃至第１８の局面のいずれか１項に記載のデバイス。
［第２１の局面］
情報表示デバイスであって：
スキャン用ページ上のスキャンボックスが第１のグラフィックコードをスキャンした後に取得される第１の情報を受信するように構成された第１の受信ユニットと；
前記スキャンボックスが第２のグラフィックコードをスキャンした後に取得される第２の情報を受信するように構成された第２の受信ユニットと；
所定の条件が満たされると情報表示ページへジャンプして前記第１の情報及び前記第２の情報を表示するように構成された表示ユニットと；を備える、
情報表示デバイス。
［第２２の局面］
前記所定の条件には、所定期間が経過すること、又は、所定の指令が受信されることが含まれる、
第２１の局面に記載のデバイス。
［第２３の局面］
前記表示ユニットは：
前記スキャン用ページ上でトリガされる所定のボタンによって生成される所定の指令を受信することに応答して情報表示ページへジャンプして前記第１の情報及び前記第２の情報を表示するように構成された；又は
前記スキャン用ページ上でスライドされるスライディングモジュールによって生成される所定の指令を受信することに応答して情報表示ページへジャンプして前記第１の情報及び前記第２の情報を表示するように構成された；表示サブユニットを備える、
第２２の局面に記載のデバイス。
［第２４の局面］
前記表示ユニットに加えて：
前記第１の情報又は前記第２の情報を消去する指令が受信されると前記情報表示ページ上の前記第１の情報又は前記第２の情報を消去するように構成された消去ユニットを備える、
第２１の局面に記載のデバイス。
［第２５の局面］
前記消去ユニットは：
前記第１の情報又は前記第２の情報がトリガされたことが検出されると消去ボタンを表示するように構成された表示サブユニットと；
前記消去ボタンがトリガされると生成される消去指令を受信した後に、前記情報表示ページ上の前記第１の情報又は前記第２の情報を消去するように構成された消去サブユニットと；を備える、
第２４の局面に記載のデバイス。
［第２６の局面］
前記グラフィックコードが、２次元コードとバーコードのうちの少なくとも一方を含む、
第２１の局面乃至第２５の局面のいずれか１項に記載のデバイス。
［第２７の局面］
情報表示デバイスであって：
スキャン用ページ上のスキャンボックスが第１のグラフィックコードをスキャンした後に取得される第１の製品情報を受信するように構成された第１の受信ユニットと；
前記スキャン用ページと情報表示ページとを同時表示し、前記第１の製品情報を前記情報表示ページに表示するように構成された第１の表示ユニットと；
前記スキャンボックスが第２のグラフィックコードをスキャンした後に取得される第２の製品情報を受信するように構成された第２の受信ユニットであって、前記製品情報が製品の単価と数とを含む、前記第２の受信ユニットと；
前記第２の製品情報を前記情報表示ページに追加するように構成された第２の表示ユニットと；
支払い指令が受信されると製品の単価と数とに基づいて総額を計算し、前記総額に基づいて決済するように構成された支払いユニットと；を備える、
情報表示デバイス。
［第２８の局面］
情報表示デバイスであって：
スキャン用ページ上のスキャンボックスが第１のグラフィックコードをスキャンした後に取得される第１の製品情報を受信するように構成された第１の受信ユニットと；
前記スキャンボックスが第２のグラフィックコードをスキャンした後に取得される第２の製品情報を受信するように構成された第２の受信ユニットであって、前記製品情報が製品の単価と数とを含む、前記第２の受信ユニットと；
所定の条件が満たされると情報表示ページへジャンプして前記第１の製品情報及び前記第２の製品情報を表示するように構成された表示ユニットと；
支払い指令が受信されると製品の単価と数とに基づいて総額を計算し、前記総額に基づいて決済するように構成された支払いユニットと；備える、
情報表示デバイス。
［第２９の局面］
情報表示デバイスであって：
スキャン用ページ上のスキャンボックスが第１のグラフィックコードをスキャンした後に取得される第１のｖｅｒｓｉｔｃａｒｄ情報を受信するように構成された第１の受信ユニットと；
前記スキャン用ページと情報表示ページとを同時表示し、前記第１のｖｅｒｓｉｔｃａｒｄ情報を前記情報表示ページに表示するように構成された第１の表示ユニットと；
前記スキャンボックスが第２のグラフィックコードをスキャンした後に取得される第２のｖｅｒｓｉｔｃａｒｄ情報を受信するように構成された第２の受信ユニットと；
前記第２のｖｅｒｓｉｔｃａｒｄ情報を前記情報表示ページに追加するように構成された第２の表示ユニットと；
追加指令が受信されると前記第１のｖｅｒｓｉｔｃａｒｄ情報及び前記第２のｖｅｒｓｉｔｃａｒｄ情報に対応するユーザを友人として追加するように構成された追加ユニットと；を備える、
情報表示デバイス。
［第３０の局面］
情報表示デバイスであって：
スキャン用ページ上のスキャンボックスが第１のグラフィックコードをスキャンした後に取得される第１のｖｅｒｓｉｔｃａｒｄ情報を受信するように構成された第１の受信ユニットと；
前記スキャンボックスが第２のグラフィックコードをスキャンした後に取得される第２のｖｅｒｓｉｔｃａｒｄ情報を受信するように構成された第２の受信ユニットと；
所定の条件が満たされると情報表示ページへジャンプして前記第１のｖｅｒｓｉｔｃａｒｄ情報及び前記第２のｖｅｒｓｉｔｃａｒｄ情報を表示するように構成された表示ユニットと；
追加指令が受信されると前記第１のｖｅｒｓｉｔｃａｒｄ情報及び前記第２のｖｅｒｓｉｔｃａｒｄ情報に対応するユーザを友人として追加するように構成された追加ユニットと；を備える、
情報表示デバイス。
【国際調査報告】
2019511046.tif 000010
2019511046.tif 000011
2019511046.tif 000012
2019511046.tif 000013
2019511046.tif 000014
2019511046.tif 000015